(57)【要約】      （修正有）【課題】保湿性が高く、バブルが長持ちし、泡が弾けにくいバブル発生装置を提供する。【解決手段】本体、及び本体内部に収容設置するバブル生成器２０を備え、本体は前蓋１１と後蓋１２を相互に組合せ、前蓋１１の前端はジェットノズル１１１を延伸し、貫通した孔１１２を有し、後蓋１２の内部には収容設置空間１２１を設置し、後蓋１２の後端は接続管体１２２を延伸し、接続管体１２２には貫通した貫通孔を設置し、これにより、洗浄ガンと連接し、バブル生成器２０は少なくとも第一網体２１及び第二網体２２を備え、後蓋１２の収容設置空間１２１内に設置し、しかもバブル生成器２０は収容設置空間１２１を導流拡散区、増圧区、バブル収集区に区画し、ジェット洗浄ガンにより霧状になった洗浄液は、圧縮空気に従い導流拡散区に入り、増圧区でバブルを発生し、バブルはバブル収集区に堆積してまとまった状態のバブルを形成し、空気に従い噴出する。【選択図】図１
0003169573.tif 000002
【実用新案登録請求の範囲】
【請求項１】
バブル発生装置は、本体、バブル生成器を備え、 
前記本体は前蓋と後蓋を相互に組合せ、前記前蓋の前端はジェットノズルを延伸し、前記ジェットノズルには貫通した孔を設置し、前記後蓋内部には収容設置空間を設置し、前記後蓋の後端は、接続管体へ延伸し、前記接続管体にはネジヤマを設置し、前記接続管体には貫通した貫通孔を設置し、
前記バブル生成器は少なくとも第一網体及び第二網体を備え、前記後蓋の収容設置空間内に収容して設置することを特徴とするバブル発生装置。
【請求項２】
前記第一網体及び前記第二網体の端面には導流板を設置し、かつ前記導流板は前記貫通孔の位置に対応して設置されることを特徴とする、請求項１に記載のバブル発生装置。
【請求項３】
前記バブル生成器はさらに３個以上の網体を備えることを特徴とする、請求項１又は２に記載のバブル発生装置。
【請求項４】
前記後蓋の収容設置空間は導流拡散区、増圧区、バブル収集区に区画されることを特徴とする、請求項３に記載のバブル発生装置。
【請求項５】
前記バブル生成器の網体は網環の環心内に網片がそれぞれ設置されることを特徴とする、請求項３に記載のバブル発生装置。
【請求項６】
前記網片は、ステンレス金属網からなることを特徴とする、請求項５に記載のバブル発生装置。
【考案の詳細な説明】
【技術分野】
【０００１】
本考案はバブル発生装置に関し、特に圧縮空気を利用し洗浄液体をサイフォン吸引し、先ず霧状にした後、バブル発生装置に送り込みバブルを発生させ、バブルは堆積してまとまった状態を形成し、それが空気に従い噴出し、保湿性が高いためバブルが長持ちし泡が弾けにくいバブル発生装置に関する。
【背景技術】
【０００２】
従来の気動バブルガンのバブル発生装置は主に、高圧ジェット洗浄ガンに設置されている。高圧気体を送り込むことで洗浄液を霧状にし、圧縮空気と共にバブル発生装置内に吸引する。該バブル発生装置の内部には、スポンジ(或いは不織布)により製造する多孔体を収容設置する。洗浄液は多孔体内に導入されて進入し、バブルを形成する。こうして形成されたバブルは、高圧気体に押され、圧縮空気に従い外へと拡散し噴出する。これにより、洗浄しようとする物体の表面上に付着する。
【考案の概要】
【考案が解決しようとする課題】
【０００３】
しかし、上記したバブル発生装置は、使用において、以下のような欠点が存在する。
（１）バブル形成の効果が低い。
多孔体の孔が小さく、しかも不規則な方向に配列するため、霧状洗浄液及びバブルが破裂した液体は、多孔体内部における衝突により集まって、体積の小さな液体となる。しかも洗浄液体は、噴出した空気に従い多孔体内部において流動し、多孔体末端に到達すると、数個の孔口を備える多孔片上に付着して堆積し薄膜を形成し、該薄膜は空気の噴流に従い、スピーディーにバブルを形成する。バブルは比重が軽いため、空気の噴流に従い比較的遠いところまで行くが、圧縮空気は流速が速いため、一部はバブルに形成されず、飛散し、圧縮空気に従い噴出する。また形成されたバブルは細かく、しかも小さいため、バブルの表面積が小さく、バブルが相互に結合する面積も相対的に小さくなってしまい、かたまって集中することができない。そのため、噴出したバブルは被洗浄物表面に付着した後、バブルの水分は蒸発し破裂し易くなり、液体状を形成し、物体に沿って下へと流れるため、バブル形成の効果が低い。
【０００４】
（２）多孔体の寿命が短く、バブルの発生効果に悪影響を与える。
多孔体は通常は、スポンジ或いは不織布により製造するが、高速圧縮空気及び洗浄液体の噴流が面上に衝撃を与えることで、スポンジ或いは不織布は陥没して変形し、スポンジ或いは不織布の孔隙及び密度が不均一になり、空気及び洗浄液体の流動性に直接的に影響を与える。この他、該スポンジ或いは不織布の組織は、水及び洗浄剤の湿った環境に浸されることで容易に腐蝕し、該スポンジ或いは不織布の使用後に、長期間洗浄しなければ腐蝕と分解はより容易に起こり、これに加えて、長時間空気及び液体の衝撃を受けることで、せん断力を受け、徐々にちぎれて小さな塊状になり破損して流失してしまう。こうして拡散片のバブル発生効果に悪影響を及ぼすため、一定期間の使用後は、そのバブル発生効果はどんどん悪化し、スポンジ或いは不織布を交換しなければならなくなる。
【０００５】
（３）使用が不便で、洗浄に時間がかかる。
スポンジ或いは不織布は石油化学原料により製造するため使用寿命に限界があり、使用する度に必ず洗浄しなければならないため、時間がかかり、しかもしばしば取外しと組み付けを行う必要があるため、使用において非常に不便である。
【０００６】
（４）消費者は自分で取外して洗浄、或いは交換できない。
該バブル発生装置はそれを組合せ後には、高圧空気作業環境において漏れを防止するため、接着剤を使用して粘着接合しなければならない。よって、取外しができず、一度取外せば、漏れの恐れがある。
【０００７】
本考案は、従来のバブル発生装置の上記した欠点に鑑みてなされたものである。即ち、本考案が解決しようとする課題は、従来のバブル発生装置の欠点を改善することができるバブル発生装置を提供することである。
【課題を解決するための手段】
【０００８】
上記課題を解決するため、本考案のバブル発生装置は本体を備え、該本体内部にはバブル生成器を収容して設置し、該本体は前蓋及び後蓋を相互に組合せ、該前蓋の前端はジェットノズルを延伸し、貫通した孔を設置し、該後蓋の本体前端内部には収容設置空間を設置し、該後蓋後端は接続管体を延伸し、該接続管体にはネジヤマを設置し、これにより、洗浄ガンと螺合して接続でき、該接続管体には貫通した貫通孔を設置し、該バブル生成器は少なくとも第一網体及び第二網体を備え、該後蓋の収容設置空間内に設置し、該第一網体及び該第二網体には導流板をそれぞれ設置し、該導流板は気流を導引し、四周へと拡散させる機能を備え、該第一網体及び該第二網体により、収容設置空間を導流拡散区、増圧区、バブル収集区に区画し、該バブル生成器の第一網体及び第二網体は網環の環心内に、網片を設置し、該網片はステンレス網で、酸、アルカリの侵蝕に対して耐性があり、損壊しにくく、変形しにくいという特性を備え、使用寿命が長いため、定期的にパーツを交換する必要がなく、コストを低下させることができ、該第一網体及び該第二網体の使用後の取外しは、非常に迅速で便利であり、しかもステンレス網片の洗浄液の洗浄は極めて容易で、網体パーツの交換も簡単で、ジェット洗浄ガンが高速噴出する圧縮空気により、洗浄液筒内の洗浄液をサイフォン吸入し、洗浄液は圧縮空気の噴流に従い霧状体を形成し、本体の導流拡散区内に噴流入し、拡散分布を呈して、第一網体に入り、網孔上に薄膜を形成し、圧縮空気の噴流により、バブルを形成し、バブルは第一網体内を通過し、及びバブルを形成しなかった一部の霧状洗浄液は第一網体と第二網体間の増圧区に進入し、該増圧区内の圧縮空気の流速は比較的遅いため、霧状洗浄液体の顆粒は相対的に大きく変化し、及び該第一網体において形成されたバブルは該第二網体を通過する時、網孔上に付着して堆積し、薄膜を形成し、圧縮空気の噴流により、バブルを形成し、バブルは該第二網体外へと通過し、バブルは、雪片のように、バブル収集区中に徐々に堆積し、細かいバブルが形成され、しかもバブル発生の成功率は高く、これにより、洗浄液体の消耗率が低くなり、洗浄液の使用量が相対的に低下することで、環境に対する負荷を抑えることができ、バブルが多く、しかも蒸発しにくいため、バブルが物体上に留まる時間を相対的に長くすることができ、こうして、洗浄効率は自然に向上し、集まって質量が軽いバブルは圧縮空気に従い、非常に遠いところまで噴出することができる。
【考案の効果】
【０００９】
本考案のバブル発生装置は、圧縮空気を利用し洗浄液体をサイフォン吸引し、先ず霧状にした後、バブル発生装置に送り込みバブルを発生させ、バブルは堆積してまとまった状態を形成し、それが空気に従い噴出し、保湿性が高いためバブルが長持ちし泡が弾けにくいという効果を奏する。
【図面の簡単な説明】
【００１０】
【図１】本考案の分解図である。
【図２】本考案の組合せ断面図である。
【図３】本考案とジェット洗浄ガン組み付けの模式図である。
【図４】本考案がバブルを噴出する様子を示す模式図である。
【図５】本考案において、３個の網体を設置する応用例図である。
【図６】本考案を大型の収容設置バケツに応用する使用例図である。
【考案を実施するための形態】
【００１１】
以下に図面を参照しながら本考案を実施するための最良の形態について詳細に説明する。
【００１２】
図１と図２に示すように、本考案バブル発生装置は、本体10、及び該本体10内部に収容設置するバブル生成器20を備える。本体10は、前蓋11及び後蓋12を相互に組合せ、ネジヤマにより相互に螺合して組合せる。前蓋11の前端は、ジェットノズル111を延伸し、貫通した孔112を設置する。後蓋12の内部には、収容設置空間121を設置する。該後蓋12の末端は、接続管体122を延伸する。該接続管体122には、ネジヤマ123を設置し、これにより洗浄ガンと螺合して接続でき、該接続管体122には、貫通した貫通孔124を設置する。
【００１３】
バブル生成器20は、少なくとも第一網体21及び第二網体22を備え、後蓋12の収容設置空間121内に設置し、しかも、収容設置空間121を、導流拡散区1211、増圧区1212、バブル収集区1213に区画する。第一網体21及び第二網体22は、網環211、221の環心内に、ステンレス網である網片212、222をそれぞれ設置する。しかも、第一網体21及び第二網体22には、導流板213及び導流板223をそれぞれ設置し、導流板213及び導流板223は、貫通孔124の位置に対応する。網片212、222は、ステンレス材質により編織して形成する金属網で、酸、アルカリの侵蝕に対して耐性があり、損壊しにくいという特性を備える。
【００１４】
図３と図４に示すように、後蓋12の後端は、接続管体122を延伸し、ジェット洗浄ガン30と連接する。ジェット洗浄ガン30が高速噴出する圧縮空気により、洗浄液筒31内の洗浄液をサイフォン吸入し、洗浄液は、圧縮空気の噴流に従い霧状体を形成し、本体10の後蓋12内に噴流入する。次に、第一網体21に設置する導流板213により気流を導引し、四周へと拡散させる。気流は、収容設置空間121の導流拡散区1211内に進入し、拡散分布を呈して第一網体21に進入する。こうして、圧縮空気と洗浄液の混合を防止された気流は、そのまま網体の中心位置を通過し、これにより、バブルを発生することはできなくなる。導流板213、223は、気流を導引して四周へと拡散させ、しかも洗浄液と空気とを混合する効果を備える。
【００１５】
第一網体21の網孔は、均一に密生して分布するため、霧状の洗浄液は、網孔を通過する時、網体上に付着し、網孔上に薄膜を形成し、圧縮空気の噴流により、バブルを形成し、バブルは第一網体21内を通過する。バブルを形成しなかった一部の霧状洗浄液は、第一網体21内部の増圧区1212に進入する。該増圧区1212内圧縮空気の流速は比較的遅いため、霧状洗浄液体の顆粒は、相対的に大きく変化する。第一網体21において形成されたバブルは、第二網体22を通過する時、網孔上に付着して堆積し、薄膜を形成する。さらに、圧縮空気の噴流により、バブルを形成し、バブルは第二網体22外へと通過する。これにより、バブルは雪片のように、バブル収集区1213中に徐々に堆積し、こうしてかたまりになったバブルは湿度を保つ効果が高いため、バブルの状態が長持ちした状態で、圧縮空気に従い噴出する。バブルは空気を含むため、質量が比較的軽く、圧縮空気に乗って非常に遠いところまで噴流することができ、しかも洗浄物体表面に付着し易い。本考案者による多数回の実験によれば、バブル噴流が届いた中で、最も長い距離は約2〜2.5メートルにも達した。
【００１６】
図５に示すように、本考案のバブル生成器20は、少なくとも２個以上の網体を備えることができる。すなわち、バブル生成器20は、第一網体21、第二網体22、第三網体23を備え、或いはさらに第四網体を備えることができ、或いはさらに多くの網体を備えることもできる。第一網体21及び第二網体22の網体による区画により、増圧区1212内の圧力を高めることができ、こうして圧縮空気の流速を低下させることができ、しかも霧状洗浄液体の顆粒は、相対的に大きく変化する。さらに、最後段である第三網体23を通過する時、網孔上に付着して堆積し、薄膜を形成する。次に、流速が遅い圧縮空気の噴流によりバブルを形成し、バブルは網体外へと通過する。こうして、バブル形成の効果と保湿効果はさらに高まり、バブルは、雪片のように、バブル収集区1213中に徐々に堆積し、圧縮空気に従い噴出する。
【００１７】
図６に示すように、本考案は、一般の筒装備式のジェット洗浄ガンに応用して使用できる他、大型収容設置バケツ40式のジェット洗浄ガンに使用することもできる。該大型収容設置バケツ40は、より多くの収容設置空間を備えるため、使用量が多い洗車場において使用することができる。
【００１８】
上記したように、本考案のバブル発生装置は、以下の長所を備える。
（１）構造がシンプル。少なくとも第一網体及び第二網体を備えるだけで、バブルを発生でき、しかもそのバブルは集まった状態のバブルである。
（２）バブル生成器に使用する網体の数を、使用環境、バブル発生の多寡に応じて、変えることができる。
（３）洗浄が便利で、迅速である。バブル生成器の網体を使用後に取外す場合には、非常に迅速かつ便利に行うことができ、網体のパーツ交換も簡単であるため、洗浄液は、バブル生成器内部に残留することがなく、バブル発生の機能に悪影響を及ぼすことはない。
（４）バブルは集まった状態を形成する。質量が軽く、圧縮空気にのせてより遠いところまで噴出できるため、バブル噴出の作業半径が相対的に増大し、バブル噴出の操作に有利である。
（５）バブル発生の成功率が高い。これにより洗浄液体の消耗率が低くなり、洗浄液の使用量が相対的に低下することで、環境に対する負荷を抑えることができ、バブルが多く、しかも集まっているため、洗浄効率も自然に向上する。
（６）使用寿命が長い。バブル生成器の網体は、ステンレス網であるため、サビが発生せず、酸、アルカリの侵蝕に対して耐性があり、質が変化せず、損壊しにくいという特性を備え、しばしば取外して洗浄する必要がないため、使用において極めて便利である。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
10・・・本体、11・・・前蓋、12・・・後蓋、111・・・ジェットノズル、112・・・孔、121・・・収容設置空間、1211・・・導流拡散区、122・・・接続管体、1212・・・増圧区、1213・・・バブル収集区、123・・・ネジヤマ、124・・・貫通孔、20・・・バブル生成器、21・・・第一網体、211・・・網環、212・・・網片、213、223・・・導流板、22・・・第二網体、221・・・網環、222・・・網片、23・・・第三網体、30・・・ジェット洗浄ガン、31・・・洗浄液筒、40・・・大型収容設置バケツ。
【図１】
0003169573.tif 000003
【図２】
0003169573.tif 000004
【図３】
0003169573.tif 000005
【図４】
0003169573.tif 000006
【図５】
0003169573.tif 000007
【図６】
0003169573.tif 000008